(57)【要約】【課題】着用者が長時間座っていても坐骨や尾骨に圧迫される身体の部分への負担を軽減できる吸収性物品を提供する。【解決手段】表面シート１、裏面シート２及び吸収体３を備え、着用者の前側、股下及び後側に対応する部分がつながる方向に相当する長手方向Ｙと、該長手方向に直交する幅方向Ｘとを有する吸収性物品であって、吸収体３は、前記吸収性物品の長手方向Ｙの中心線Ｗよりも後側にのみ凹み部５を１又は複数有する。凹み部５は平面視で吸収体３の端部にまで繋がっていない。【選択図】図１
2020099579.tif 000002
【特許請求の範囲】
【請求項１】
肌当接面側の表面シート、非肌当接面側の裏面シート、及び前記表面シートと前記裏面シートとの間に介在される吸収体を備え、着用者の前側、股下及び後側に対応する部分がつながる方向に相当する長手方向と、該長手方向に直交する幅方向とを有する吸収性物品であって、前記吸収体は、前記吸収性物品の前記長手方向の中心線よりも後側にのみ凹み部を１又は複数有し、該凹み部は平面視で吸収体の端部にまで繋がっていない吸収性物品。
【請求項２】
前記凹み部は、前記吸収体の、着用者の坐骨にあたる部分に一対配置されている請求項１記載の吸収性物品。
【請求項３】
前記凹み部は、前記吸収体の、着用者の尾骨にあたる部分に配置されている請求項１又は２記載の吸収性物品。
【請求項４】
前記凹み部の壁面が、前記吸収体の厚み方向に対して傾斜配置されている請求項１〜３のいずれか１項に記載の吸収性物品。
【請求項５】
前記凹み部の平面視した形状が円形状である請求項１〜４のいずれか１項に記載の吸収性物品。
【請求項６】
前記凹み部が非貫通である請求項１〜５のいずれか１項に記載の吸収性物品。
【請求項７】
前記凹み部が前記吸収体の非肌面側に配されている請求項１〜６のいずれか１項に記載の吸収性物品。
【請求項８】
前記凹み部の少なくとも１つが、吸収体３の厚みを部分的に厚くした土手部によって囲まれた部分である請求項１〜７のいずれか１項に記載の吸収性物品。
【発明の詳細な説明】
【技術分野】
【０００１】
本発明は、おむつ等の吸収性物品に関する。
【背景技術】
【０００２】
おむつ等の吸収性物品においては、各部材の材料や構造を改良し、その機能や着用感の向上が図られてきた。吸収体についても、かかる改良を企図して開発がなされ、特に最近では使用状況や物品の種類に応じた機能性のものが種々提案されている。
【０００３】
例えば、特許文献１記載のパンツ型着用物品は、股下域のフィット性の観点から、吸収体にスリットやＶ字型の切欠きを設けている。スリットやＶ字型の切欠きは、吸収体の幅方向の端部にまで達して、吸収体を部分的に分離させている。特許文献２記載の吸収性物品は、吸収体の撚れや割れを防止する観点から、吸収体の長手方向に延びる一対の所定幅のスリットと、該スリットに幅方向の突出部とを備える。
また、吸収性能を高める観点から吸収体に凹部を設けたものがある。例えば、吸収体の股下部から前後方向に形成された誘導凹部を備えた吸収性パッド（特許文献３）、腹側部に大便を収容する収容部とその上部の便遮蔽層とを設けたおむつ（特許文献４）などがある。また、２層からなる吸収性構造体の股下部において、上層吸収層に欠落部を設けた吸収性物品（特許文献５）などがある。
【先行技術文献】
【特許文献】
【０００４】
【特許文献１】特開２００４−３４４３９７号公報
【特許文献２】特開２０１７−５５８７７号公報
【特許文献３】特開２００２−１８６６３８号公報
【特許文献４】特開２００４−８３０１号公報
【特許文献５】特開２００４−２４８７０６号公報
【発明の概要】
【発明が解決しようとする課題】
【０００５】
おむつ等の吸収性物品の利用環境は多岐にわたり、その着用感や快適性を向上させることは重要である。例えば、要介護者などは寝ている体勢や座っている体勢を維持する時間が長く腰や臀部などにかかる負担は大きい。特に座った状態において、尾骨や坐骨など身体の下側に向かって突起した骨が体重によって、座面に対向する身体の部分を圧迫することがある。この場合、着用者の体重、体形、姿勢、着座時間等によって、痛みが伴う場合がある。一般的には歩いたりストレッチをしたりすることで改善することは知られているが、身体を動かすことが困難である要介護者にとっては容易なことではない。したがって長い間座っていても坐骨や尾骨に圧迫される身体の部分の負担を軽減することが望ましい。上記の特許文献１〜５には、このような着用者の坐骨や尾骨に圧迫される身体の部分への負担を軽減する手段について示されていない。
【０００６】
本発明は、上記の点に鑑み、着用者が長時間座っていても坐骨や尾骨に圧迫される身体の部分への負担を軽減できる吸収性物品に関する。
【課題を解決するための手段】
【０００７】
本発明は、肌当接面側の表面シート、非肌当接面側の裏面シート、及び前記表面シートと前記裏面シートとの間に介在される吸収体を備え、着用者の前側、股下及び後側に対応する部分がつながる方向に相当する長手方向と、該長手方向に直交する幅方向とを有する吸収性物品であって、前記吸収体は、前記吸収性物品の前記長手方向の中心線よりも後側にのみ凹み部を１又は複数有し、該凹み部は平面視で吸収体の端部にまで繋がっていない吸収性物品を提供する。
【発明の効果】
【０００８】
本発明の吸収性物品は、着用者が長時間座っていても坐骨や尾骨に圧迫される身体の部分への負荷を軽減することができる。
【図面の簡単な説明】
【０００９】
【図１】本発明に係る吸収性物品の好ましい一実施形態を示したパンツ型おむつをサイドシール部で破断して展開し伸長させた状態を、肌当接面側から見た一部切欠展開平面図である。
【図２】（Ａ）は、図１のＩＩ―ＩＩ線に沿った断面の部分拡大断面図であり、（Ｂ）は（Ａ）における凹み部の部分拡大断面図である。
【図３】着用者が本実施形態のおむつを着用して着座した状態における坐骨、尾骨の位置を模式的に示した説明図である。
【図４】本実施形態のおむつにおける凹み部の別の好ましい実施態様（第１実施態様）をおむつの肌当接面側から模式的に示す平面図である。
【図５】本実施形態のおむつにおける凹み部の別の好ましい実施態様（第２実施態様）をおむつの肌当接面側から模式的に示す平面図である。
【図６】本実施形態のおむつにおける凹み部の別の好ましい実施態様（第３実施態様）をおむつの肌当接面側から模式的に示す平面図である。
【図７】（Ａ）は、本実施形態のおむつにおける凹み部の別の好ましい実施態様（第４実施態様）をおむつの肌当接面側から模式的に示す平面図であり、（Ｂ）は（Ａ）の図におけるＢ−Ｂ線に沿った吸収体の部分拡大断面図である。
【図８】（Ａ）〜（Ｅ）は、図６に示す坐骨に対応する凹み部の断面について、壁部の別の好ましい態様を模式的に示す断面図である。
【図９】（Ａ）〜（Ｅ）は、図８に示す凹み部を非肌面側に配するものとして模式的に示す断面図である。
【発明を実施するための形態】
【００１０】
以下、本発明に係る吸収性物品の好ましい一実施形態としてのおむつ１０について、図面を参照しながら説明する。なお、図１においては、おむつ１０をパンツ型として示したがこれに限定されるものでなく、例えばテープ型であってもよい。
【００１１】
本発明においては、人体に接触する側を肌面側ないし肌当接面側あるいは表面側といい、これと反対側を非肌面側ないし非肌当接面側あるいは裏面側という。これらは、人体に接触する面を有さない部材に関しても、吸収性物品の部材構成における相対的な位置関係を示す用語として用いる。また、着用時に人体の前側に位置する方向を前方といい、後側に位置する方向を後方という。吸収性物品の表面又は裏面の法線方向を厚み方向という。すなわち、前記前側とは着用者の腹側であり、前記後側とは着用者の背側である。
【００１２】
図１は、本実施形態の成人用おむつ１０（以下、単におむつ１０ともいう。）を展開した状態を示している。より具体的には、パンツ型のおむつ１０の両脇のサイドシール部１１、１１を破断して展開した状態を示している。ここで言う展開した状態とは、各部を伸長させておむつを平面状に広げた状態を言う。
おむつ１０は、着用者の前側、股下及び後側のそれぞれに配される前側部Ｆ、股下部Ｃ及び後側部Ｒに区分される。おむつ１０は、この着用者の前側、股下及び後側に対応する部分がつながる方向に相当する長手方向Ｙと、長手方向Ｙに直交する幅方向Ｘとを有する。
【００１３】
おむつ１０は、構成部材として、縦長の吸収性本体１２と外装体１３とを有する。外装体１３は、おむつ１０の前側部Ｆ、股下部Ｃ及び後側部Ｒの全体に配され、股下部Ｃにおいて幅方向内方に括れた形状を有する。この括れた部分が、おむつ１０におけるレッグ開口部をなす。また、外装体１３の前側部Ｆ及び後側部Ｒにおける長手方向Ｙ外方端部は、前述のサイドシール部１１、１１によって環状にされ、ウエスト開口部を形成する。
【００１４】
吸収性本体１２は、肌当接面側に配置される液透過性の表面シート１、非肌当接面側に配置される防漏性の裏面シート２、及び該両シートの間に介在される液保持性の吸収体３を備える。吸収体３は、排泄液の吸収材料の集合体を有し、例えば、パルプ繊維の集合体、又はパルプ繊維と高吸水性ポリマー材の集合体を有する。また、吸収性本体１２には、長手方向Ｙの両側に沿って延びる一対のサイドシート８が表面シート１の肌当接面側に形成されている。サイドシート８は、幅方向Ｘの内方側に、弾性部材を長手方向に伸縮自在に配置して（図示せず）、着用時に肌に向けて起立する防漏カフを形成する。おむつ１０における上記の構成部材には、この種の物品に通常用いられる種々の素材のものを特に制限なく採用することができる。
【００１５】
吸収体３は、おむつ１０の長手方向Ｙの中心線Ｗよりも後側にのみ凹み部５を１又は複数有する。「長手方向Ｙの中心線Ｗ」は、図１に示すように、おむつ１０を長手方向Ｙに２等分する位置において、幅方向Ｘに引いた仮想線をいう。中心線Ｗは、おむつ１０を２つ折りに重ね合わせる際の折り軸とも言える。この中心線Ｗよりも後側の領域には、前述のおむつ１０の後側部Ｒと股下部Ｃの一部とが含まれる。
【００１６】
凹み部５は、図２（Ａ）及び（Ｂ）に示すとおり、厚みが周囲よりも薄くされた部分であり、厚みが厚い部分３２に囲まれた空間領域５１を備える。ここで言う厚みは、吸収体３の厚み、より具体的には吸収体３が有する吸収材料の集合体の厚みを意味する。
凹み部５は平面視した吸収体３の端部にまで繋がっていない。言い換えると、空間領域５１が吸収体３の端部にまで達しないように凹み部５を配置している。
本実施形態においては、凹み部５は、おむつ１０の長手方向Ｙの中心線Ｗよりも後側において、吸収体３が有する前記吸収材料がなす壁面３１に平面方向の周囲を囲まれて閉空間にされている。すなわち、凹み部５が備える空間領域５１は、肌面側には開放されているものの、平面方向の周囲について、壁面３１で囲まれて閉空間とされている。そのため、凹み部５は、吸収体３の外周に接することなく外周よりも内側に存在する。また、凹み部５は、中心線Ｗよりも後側の領域にのみ存在し、中心線Ｗよりも前側の領域に延出していない。なお、吸収体３が前記吸収材料の集合体とともに、該集合体を被覆するコアラップシートを有する場合、コアラップシートまでが凹み部５に沿って窪んでいなくてもよい。
【００１７】
本実施形態において、凹み部５は、吸収体３の肌面側において窪んだ形状とされているが、これに限定されず、吸収体の非肌面側において窪んだ形状としていてもよい。また、吸収体３の厚みを部分的に、内方が窪んだ領域となるよう円環形状に厚くして、その内方を凹み部５としてもよい。この場合、厚くされた部分の内方側の面が凹み部５の空間領域５１を区画する壁面３１となる。これらの変形例については後述する。なお、吸収体３における肌面側とは、吸収体３の表面シート１を向く面の側であり、吸収体３における非肌面側とは、吸収体３の裏面シート２を向く面の側である。
【００１８】
凹み部５は、着用者の着座時に、着用者の坐骨及び尾骨の少なくともいずれか１方に対応する位置に配されている。坐骨は、座った時に座面に対向する左右１対の骨であり、体幹を支える。尾骨は、脊柱の最下部の椎骨が幾つか癒合してできた骨であり、座る時の姿勢を支えたり、立って動くときの姿勢を正したり、運動を安定させたりする。着座時には、これらの坐骨や尾骨が体重によって、座面に対向する身体の部分（臀部）を圧迫する。
本実施形態においては、凹み部５の平面視した形状は、着用者の着座時に、坐骨及び尾骨の先端周辺を内側に収め得る大きさの円形状とされている。これにより、着用者の着座時に、坐骨及び尾骨の先端周辺に沿うように吸収体３の凹み部５及びその周辺が変形し、着用者の坐骨及び尾骨の先端周辺が凹み部５の空間領域５１に収まるようになる。同時に、壁面３１周辺の吸収体の厚い部分３２が着用者の臀部の肌面を支える。これにより、おむつ１０は、着用者が長時間着座していても坐骨や尾骨に圧迫される身体の部分への負荷が軽減される。このとき、周囲の壁面３１が着用者の坐骨や尾骨の先端周辺の臀部の肌面を支えていると、上記の圧迫がより軽減されやすくなり好ましい。なお、「着座」とは、臀部を下にして座り上体をおこした体勢を言う。例えば、椅子に限らずベッドや床などに腰を下ろして座る体勢を広く含む。また、前記体勢において、着用者は、上体を背もたれや壁などによりかからせていてもよい。
【００１９】
本実施形態において、凹み部５は非貫通であり、凹み部底部５２に吸収体部分３７が配されている。この部分が着用者の坐骨及び尾骨の先端周辺に対するクッション作用を奏し、前述の凹み部５及びその周辺が変形することによる作用と相俟って、坐骨や尾骨に圧迫される身体の部分への負荷軽減の効果を更に高める。
【００２０】
本実施形態において、凹み部５の平面視した形状は、前述のとおり円形状とされているが、これに限定されるものではない。着用者の坐骨や尾骨の先端周辺を内側に収めることができる種々の形状を採用することができる。凹み部５の平面形状が円形状であることは、着用者の着座時の痛み軽減の観点から好ましい。すなわち、着用者の着座の姿勢に変化が生じた場合にも、円形状の凹み部５は、着用者の動きに追従して、坐骨や尾骨の先端周辺を凹み部５の空間領域５１に収め、円形状の壁面３１が坐骨や尾骨の先端周辺を包んだ状態を保持し得る。加えて、壁面３１周囲の吸収体の厚い部分３２が凹み部５の周辺で変形しながら、着用者の坐骨や尾骨の先端周辺における着用者の肌面（臀部肌面）を支えることができる。なお、ここで言う「円形状」とは、角を有さない閉曲線の形状を言い、長軸と短軸を有する楕円形状を含む。
また、凹み部５の配置数は１つに限らず、着用者の坐骨や尾骨に対応して２つ以上とすることができる。凹み部５を着用者の左右一対の坐骨に対応して２つ配する場合、着用者の尾骨に対応して１つ配する場合、着用者の坐骨及び尾骨の全てに対応して３つ配する場合のいずれであっても、坐骨及び尾骨のそれぞれに対応する位置において、凹み部５は、正円形状や正多角形状など縦横比が１に近いものが好ましい。
【００２１】
本実施形態において、図２に示すように凹み部５の空間領域５１を囲む壁面３１は、吸収体３の厚み方向に対して傾斜配置されているが、これに限定されるものではない。例えば、壁面３１が吸収体３の厚み方向に沿う配置（吸収体３の平面に対して垂直配置）であってもよい。凹み部５の空間領域５１に着用者の坐骨や尾骨の先端周辺を収め、着用者の体重で吸収体が変形して壁面３１が坐骨や尾骨の先端周辺の臀部の肌面に接近してこれを支えやすくする観点から、壁面３１は吸収体３の厚み方向に対して傾斜配置されていることが好ましい。特に、空間領域５１が開放されている側に向かって壁面３１が開く傾斜配置であることが好ましい。すなわち、本実施形態の肌面側から非肌面側に窪む凹み部５においては、壁面３１は、肌面側に向かって開く傾斜配置が好ましい。これにより、凹み部５が体重で撓んだ場合に壁面３１が坐骨や尾骨の先端周辺に沿いやすくなる。また、凹み部５が非肌面側から肌面側に窪むものである場合、壁面３１は、非肌面側に向かって開く傾斜配置が好ましい。この場合、詳細は後述するが、凹み部５の底部の肌面側に配される吸収体３の部分が坐骨や尾骨の先端周辺に押し当てられ、非肌面側で、凹み部５の空間領域５１が広がるように変形しやすい。これにより、変形した吸収体３の部分が坐骨や尾骨の先端周辺に沿いやすくなる。
さらに、図２（Ｂ）に示すように、肌面側から非肌面側に窪んだ凹み部５の断面視においては、対向する壁面３１、３１の肌面側の端部３１Ａ、３１Ａ同士の離間距離が、非肌面側の端部３１Ｂ、３１Ｂ同士の離間距離よりも大きいこと、すなわち、壁面３１が肌当接面側に向けて開くようにテーパ状に傾斜配置されていることが好ましい。この場合、凹み部５の空間領域５１が、非肌面側よりも肌面側で開くようにされている。非肌面側から肌面側に窪む凹み部５においては、対向する壁面３１、３１の非肌面側の端部同士の離間距離が、肌面側の端部同士の離間距離よりも大きいことが好ましい。
【００２２】
ここで凹み部５の特有の作用について、図３を参照して説明する。図３において、身体の正中線７０とは歩行方向前方から見たときに身体を左右対称に分割する線である。図３は、モデル化した身体の外形部分と尾骨７５と坐骨７６とを模式的に示している。おむつ１０の装着時の形状については、本発明の実施において必ずしも図示したものと同一の形状にならなくともよい。なお、図中、左側が身体における前側であり、右側が身体における後側である。
【００２３】
本実施形態の凹み部５は、おむつ１０を着用者が身体に装着した状態で着座したときに尾骨７５及び坐骨７６の先端周辺を内方に囲むように円形状に形成されている。着用者が着座をした際に、凹み部５の外方にある凹み部５よりも厚い部分３２が、座面（ベッドや椅子、床など着座面）９０に対して着用者の体重を支えることとなる。凹み部５が存在しない場合は、着用者が着座をした際に、尾骨７５や坐骨７６の先端周辺が、座面９０対して着用者の体重を支えることになる。このような状態が続くと、尾骨７５や坐骨７６に圧迫される身体の部分に痛みや違和感などが生じやすくなり、臀部周りにおける種々の傷病の要因ともなり得る。これに対して、本実施形態のおむつ１０には、尾骨７５や坐骨７６に対応する部分に凹み部５が形成されており、尾骨７５や坐骨７６に圧迫される身体の部分が直接体重を支えることが回避され、座面９０からの接触圧力は尾骨７５や坐骨７６の先端周辺を取り囲む吸収体部分（凹み部５の外方にある凹み部５よりも厚い部分３２）で受けることができる。従って、おむつ１０は、着座時の良好な着用感と、坐骨や尾骨に圧迫される身体の部分に負荷がかかりにくいという効果を奏する。
【００２４】
さらに、凹み部５を設けることにより、吸収体３の股下部Ｃから後側部Ｒにおける柔軟性を得ることが可能であり、良好なフィット性が得られる。加えて、凹み部５の空間領域５１は、おむつ１０と肌との間の密着状態を低減する空気層を提供する。これにより、着用者の坐骨や尾骨の先端周辺が凹み部５内に収められた場合でも、空間領域５１が提供する空気層によってムレ低減の作用を奏し得る。これにより、おむつ１０は、長時間の着座状態にあっても、過度なムレを低減し、はき心地が良いものとなり得る。
【００２５】
凹み部５の大きさ及び位置については、前述のとおり、着用者の坐骨及び尾骨の先端周辺を凹み部５の空間領域５１に収め、壁面３１によって坐骨及び尾骨の先端周辺の臀部の肌面を支えることができる態様を適宜設定することが好ましい。使用する吸収性物品の用途によっても多少異なるが、成人用おむつ１０として上述した凹み部５による作用を効果的に発揮させることを考慮すると、凹み部５はおむつの長手方向Ｙの中心線Ｗよりも後側であって、後側部Ｒから股下部Ｃの範囲にのみ配されていることが好ましい。成人用おむつ１０の凹み部５は、平面視において、長手方向Ｙの中心線Ｗから、後側に離間して、１０ｍｍ以上１８０ｍｍ以下の範囲に配置されることが好ましく、２０ｍｍ以上１５０ｍｍ以下の範囲にあることがより好ましい。また、成人用おむつ１０の凹み部５は、平面視において、幅方向Ｘの中心線Ｌを中心にして左右幅方向に、５０ｍｍ以上１５０ｍｍ以下の範囲にあることが好ましく、７０ｍｍ以上１３０ｍｍ以下の範囲にあることが好ましい。なお、ここで言う「幅方向Ｘの中心線Ｌ」とは、おむつの全体の幅を幅方向Ｘに２等分する位置において、長手方向Ｙに引いた仮想線をいう。
【００２６】
また、おむつ１０が成人用に限らず乳幼児用などであっても、凹み部５は、平面視において下記のような範囲にあることが好ましい。すなわち、長手方向Ｙの中心線Ｗよりも後側のおむつ１０の長さＷ１に対して、凹み部５の長手方向Ｙの中心線Ｗからの離間距離Ｗ２の比（Ｗ２／Ｗ１）は、坐骨及び尾骨を凹み部５の空間領域５１に収め得る大きさとする観点から、０以上が好ましく、０．１以上がより好ましく、また、０．６以下が好ましく、０．５以下がより好ましい。具体的には、前記比（Ｗ２／Ｗ１）は、０以上０．６以下が好ましく、０．１以上０．５以下がより好ましい。
加えて同様の観点から、長手方向Ｙの中心線Ｗよりも後側のおむつ１０の長さＷ１に対して、凹み部５の長手方向Ｙの長さＷ３の比（Ｗ３／Ｗ１）は、０．０１以上が好ましく、０．０３以上がより好ましく、また、０．２以下が好ましく、０．１５以下がより好ましい。具体的には、前記比（Ｗ３／Ｗ１）は、０．０１以上０．２以下が好ましく、０．０３以上０．１５以下がより好ましい。
さらに同様の観点から、凹み部５の配置位置におけるおむつ１０の幅方向の長さＬ１に対して、凹み部５の幅方向Ｘの中心線Ｌを中心とした左右幅方向の長さＬ２の比（Ｌ２／Ｌ１）は、０．１以上が好ましく、０．２以上がより好ましく、また、０．６以下が好ましく、０．５以下がより好ましい。具体的には、前記比（Ｌ２／Ｌ１）は、０．１以上０．６以下が好ましく、０．２以上０．５以下がより好ましい。
【００２７】
吸収体３の厚み（Ｈ１）に対する、凹み部５の深さ（Ｈ２）の比（Ｈ２／Ｈ１）は、坐骨部の固定性の観点から、０．２以上が好ましく、０．３以上がより好ましい。また、前記比（Ｈ２／Ｈ１）は、骨部直下のクッション性を保持する観点から、０．９以下が好ましく、０．８以下がより好ましい。具体的には、前記比（Ｈ２／Ｈ１）は、０．２以上０．９以下が好ましく、０．３以上０．８以下がより好ましい。この厚みの比は、後側における平面視した吸収体３の端部の厚みに対する凹み部５の厚みの比においても適用される。
【００２８】
次に、本実施形態のおむつ１０の凹み部について、別の好ましい態様（第１実施態様〜第４実施態様）を図４〜７を参照して以下に説明する。なお、図４〜７においては、凹み部の配置をより明確に示すため、外装体２及び吸収体３以外の部材を省略して示している。第１実施態様〜第４実施態様は、おむつ１０の凹み部５以外の構成は前述の図１に示した実施形態のものと同じである。第１実施態様〜第４実施態様における凹み部は、吸収体３の肌面側に配されるものとして示しているが、吸収体３の非肌面側に配されるものであってもよい。また、第１実施態様〜第４実施態様においては、下記の事項に加え、前述の実施形態における凹み部５に関する事項を適宜採用できる。
【００２９】
図４は、おむつ１０における第１実施態様の凹み部５０１を示している。凹み部５０１は、吸収体３の、着用者の坐骨にあたる部分に一対配置された凹み部５０１Ａ及び５０１Ｂを有する。一対の凹み部５０１Ａ及び５０１Ｂは幅方向Ｘの中心線Ｌを軸にして線対称に配置さており、各凹み部５０１Ａ及５０１Ｂは、平面視において長手方向に長い楕円形状を有する。このようにすると椅子などに背筋を立てて座る際に、座面からの接触圧力がかかる坐骨に圧迫される身体の部分への圧力を低減させることができる。さらに、吸収体３と坐骨(尾骨)との接触面積（おむつ１０の表面シート１等、吸収体３の肌面側の部材を介して間接的に接触する面積。以下、同様。）が拡がり着座状態が安定する。
【００３０】
第１実施態様において、各凹み部５０１Ａ及び５０１Ｂの配置位置については次のようにすることが好ましい。すなわち、各凹み部５０１Ａ及び５０１Ｂを平面視した形状の中心が、長手方向Ｙの中心線Ｗから、後側に離間して、１０ｍｍ以上１４０ｍｍ以下の範囲に配置されることが好ましく、２０ｍｍ以上１２０ｍｍ以下の範囲にあることがより好ましい。凹み部５０１Ａ、５０１Ｂ同士は、幅方向Ｘの中心線Ｌを軸にして線対称に配置されていることが好ましい。また、凹み部５０１Ａと凹み部５０１Ｂとの離間距離Ｌ９は、凹み部５０１Ａ及び５０１Ｂを坐骨位置に対応させる観点から、６０ｍｍ以上が好ましく、８０ｍｍ以上がより好ましく、また、１６０ｍｍ以下が好ましく、１４０ｍｍ以下がより好ましい。具体的には、凹み部５０１Ａと凹み部５０１Ｂとの離間距離Ｌ９は、６０ｍｍ以上１６０ｍｍ以下が好ましく、８０ｍｍ以上１４０ｍｍ以下がより好ましい。
さらに、各凹み部５０１Ａ及び５０１Ｂを平面視した形状の面積は、坐骨を凹み部５０１Ａ、５０１Ｂの空間領域に収め得る大きさとする観点から、１ｃｍ２以上が好ましく、３ｃｍ２以上がより好ましく、また、３０ｃｍ２以下が好ましく、１８ｃｍ２以下がより好ましい。具体的には、各凹み部５０１Ａ及び５０１Ｂを平面視した形状の面積は、１ｃｍ２以上３０ｃｍ２以下が好ましく、３ｃｍ２以上１８ｃｍ２以下がより好ましい。
【００３１】
図５は、おむつ１０における第２実施態様の凹み部５０２を示している。凹み部５０２は、吸収体３の、着用者の左右一対の坐骨にあたる部分に配置されている凹み部５０２Ａを有する。加えて、凹み部５０２は、吸収体３の、着用者の尾骨にあたる部分に配置されている凹み部５０２Ｂを有する。凹み部５０２Ａは、平面視して、幅方向Ｘの中心線Ｌを中心に左右幅方向に長い楕円形状を有する。凹み部５０２Ｂは、幅方向Ｘの中心線Ｌ上に、平面視して縦横比１に近い円形状を有する。このようにすると吸収体３と坐骨(尾骨)との接触面積が拡がり面圧を分散させ坐骨及び尾骨に圧迫される身体の部分への圧力を低減させることができる。さらに、吸収体３と坐骨(尾骨)との接触面積が拡がり着座状態が安定する。
【００３２】
第２実施態様において、尾骨に対応する凹み部５０２Ｂの配置位置については次のようにすることが好ましい。すなわち、凹み部５０２Ｂを平面視した形状の中心が、長手方向Ｙの中心線Ｗから、後側に離間して、３０ｍｍ以上１８０ｍｍ以下の範囲に配置されることが好ましく、５０ｍｍ以上１５０ｍｍ以下の範囲にあることがより好ましい。凹み部５０２Ｂを平面視した形状の面積は、尾骨を凹み部５０２Ｂの空間領域に収め得る大きさとする観点から、１ｃｍ２以上が好ましく、３ｃｍ２以上がより好ましく、また、３０ｃｍ２以下が好ましく、１８ｃｍ２以下がより好ましい。具体的には、凹み部５０２Ｂを平面視した形状の面積は、１ｃｍ２以上３０ｃｍ２以下が好ましく、３ｃｍ２以上１８ｃｍ２以下がより好ましい。
また、第２実施態様において、坐骨に対応する凹み部５０２Ａの配置位置については次のようにすることが好ましい。すなわち、凹み部５０２Ａを平面視した形状の中心が、長手方向Ｙの中心線Ｗから、後側に離間して、１０ｍｍ以上１４０ｍｍ以下の範囲に配置されることが好ましく、２０ｍｍ以上１２０ｍｍ以下の範囲にあることがより好ましい。さらに、凹み部５０２Ａの横方向の幅は、坐骨を凹み部５０２Ａの空間領域に収め得る大きさとする観点から、７０ｍｍ以上が好ましく、９０ｍｍ以上がより好ましく、また、１５０ｍｍ以下が好ましく、１３０ｍｍ以下がより好ましい。具体的には、凹み部５０２Ａの横方向の幅は、７０ｍｍ以上１５０ｍｍ以下が好ましく、９０ｍｍ以上１３０ｍｍ以下がより好ましい。
【００３３】
図６は、おむつ１０における第３実施態様の凹み部５０３を示している。凹み部５０３は、吸収体３の、着用者の坐骨及び尾骨のそれぞれにあたる部分に配置されている３つの凹み部５０３Ａ、５０３Ｂ及び５０３Ｃを有する。坐骨に対応する凹み部５０３Ａ及び５０３Ｂは幅方向Ｘの中心線Ｌを軸にして線対称に配置されている。尾骨に対応する凹み部５０３Ｃは、幅方向Ｘの中心線Ｌ上に配置されている。凹み部５０３Ａ、５０３Ｂ及び５０３Ｃはいずれも、平面視して縦横比１に近い円形状を有する。このようにすると吸収体と坐骨(尾骨)との接触面積が拡がり面圧を分散させ坐骨及び尾骨に圧迫される身体の部分への圧力をさらに低減させることができる。さらに、吸収体３と坐骨(尾骨)との接触面積が拡がり着座状態が安定する。
【００３４】
第３実施態様において、尾骨に対応する凹み部５０３Ｃの配置位置は、第２実施態様の凹み部５０２Ｂの配置位置と同様に設定することが好ましい。
また、第３実施態様において、坐骨に対応する凹み部５０３Ａ及び５０３Ｂの配置位置については次のようにすることが好ましい。すなわち、各凹み部５０３Ａ及び５０３Ｂを平面視した形状の中心が、長手方向Ｙの中心線Ｗから、後側に離間して、１０ｍｍ以上１４０ｍｍ以下の範囲に配置されることが好ましく、２０ｍｍ以上１２０ｍｍ以下の範囲にあることがより好ましい。凹み部５０３Ａ、５０３Ｂ同士は、幅方向Ｘの中心線Ｌを軸にして線対称に配置されていることが好ましい。また、凹み部５０３Ａと５０３Ｂとの離間距離Ｌ９は、凹み部５０３Ａ及び５０３Ｂを坐骨位置に対応させる観点から、６０ｍｍ以上が好ましく、８０ｍｍ以上がより好ましく、また、１６０ｍｍ以下が好ましく、１４０ｍｍ以下がより好ましい。具体的には、凹み部５０３Ａと５０３Ｂとの離間距離Ｌ９は、６０ｍｍ以上１６０ｍｍ以下が好ましく、８０ｍｍ以上１４０ｍｍ以下がより好ましい。
【００３５】
図７（Ａ）及び（Ｂ）は、おむつ１０における第４実施態様の凹み部５０４を示している。凹み部５０４は、吸収体３の、着用者の坐骨及び尾骨のそれぞれにあたる部分に配置されている３つの凹み部５０４Ａ、５０４Ｂ及び５０４Ｃを有する。凹み部５０４Ａ、５０４Ｂ及び５０４Ｃはいずれも、吸収体の吸収材料を他よりも減らした部分ではなく、着用者の坐骨及び尾骨にあたる部分の領域の外方の厚みを、該領域が窪んだ領域になるよう円環形状に厚くして形成したものである（この部分を土手部３３という。）。すなわち、凹み部５０４は、吸収体３の厚みを部分的に厚くした土手部３３によって囲まれた部分である。このような凹み部５０４も、前述の他の態様の凹み部と同様に、本発明における凹み部に含まれる。
なお、図７（Ｂ）は、坐骨に対応する凹み部５０４Ａ及び５０４Ｂの断面のみを示しているが、尾骨に対応する凹み部５０４Ｃも同様の構造を有する。このようにすると吸収体の吸収容量を減らすことなく坐骨及び尾骨への座面からの接触圧力を低減させることができる。また、土手部３３の外周及び内周は円形に限定されるものではない。また、土手部３３があることにより坐骨及び尾骨が所定位置に収まりやすい。
【００３６】
第４実施態様において、各凹み部５０４Ａ、５０４Ｂ及び５０４Ｃの配置位置は、第３実施態様と同様にすることが好ましい。
【００３７】
次に、図８及び９は、前述の種々の凹み部を区画する壁面について別の態様を示している。
図８は、凹み部が吸収体の肌面側に配された態様を示している。図８における各凹み部の壁面は、図６に示す第３実施態様における坐骨に対応する凹み部５０３Ａ及び５０３Ｂの断面の配置に合わせて示されている。図８に示す肌面側の各壁面は、図６に示す第３実施態様における尾骨に対応する凹み部５０３Ｃ、図１、４、５及び７に示す凹み部の態様においても当てはまる。
図９は、図８に示す凹み部が吸収体の非肌面側に配される態様を示している。図９に示す凹み部は、図６に示す第３実施態様における尾骨に対応する凹み部５０３Ｃ、図１、４、５及び７に示す様々な凹み部の態様においても当てはまる。
前述の図１及び２の実施形態、図４〜７及び下記に示す図８及び９に示す各実施態様は、適宜任意に組み合わせて実施することができる。
【００３８】
図８（Ａ）は、凹み部５０３Ａ及び５０３Ｂに配された壁面３１１を示している。壁面３１１は、吸収体３の厚み方向に対して肌面側に開くように傾斜配置されている。また、壁面３１１は、各凹み部５０３Ａ及び５０３Ｂの凹み部底部５２において、１点に収束するテーパ状にされている。このようにすることで、吸収体３と尾骨及び坐骨との接触面積が拡がり、圧力が分散される。
【００３９】
図８（Ｂ）は、凹み部５０３Ａ及び５０３Ｂに配された壁面３１２を示している。壁面３１２は、吸収体３の厚み方向に対して肌面側に開くように傾斜配置されている。加えて、壁面３１２は、各凹み部５０３Ａ及び５０３Ｂの平坦な凹み部底部５２と接続され、各凹み部の断面輪郭を台形にする配置とされている。このようにすることで、吸収体３と尾骨及び坐骨との接触面積が拡がることによって、圧力が分散されながら、尾骨及び坐骨の先端部と吸収体３の接触により姿勢のバランスが取りやすい。
【００４０】
図８（Ｃ）は、凹み部５０３Ａ及び５０３Ｂに配された壁面３１３を示している。壁面３１３は、吸収体３の厚み方向に沿う方向にむけられ、吸収体３の平面に対して垂直に配置されている。また、ここでの凹み部５０３Ａ及び５０３Ｂは、左右の大きさが異なるようにされている。このようにすることで、身体の左右バランスが異なる場合にも適切に圧力分散を行うことができる。
【００４１】
図８（Ｄ）は、凹み部５０３Ａ及び５０３Ｂに配された壁面３１４を示している。壁面３１４は、吸収体３の厚み方向に沿う方向にむけられた壁面３１４Ａと、その非肌面側に延出し吸収体３の厚み方向に対して傾斜配置された壁面３１４Ｂとを有し、全体として五角形の断面を有する。このようにすることで、吸収体３と坐骨及び尾骨先端との接触をより低減しながら圧力分散を行うことができる。
【００４２】
図８（Ｅ）は、凹み部５０３Ａ及び５０３Ｂに配された壁面３１５を示している。壁面３１５は、吸収体３の厚み方向に沿う方向にむけられた壁面３１５Ａと、その肌面側に延出し吸収体３の厚み方向に対して傾斜配置され丸みを帯びた壁面３１５Ｂとを有する。壁面３１５は、壁面３１５Ｂの部分で、肌面側に開いた断面形状にされている。このようにすることで、吸収体３と坐骨及び尾骨先端の周囲に部分的に非接触部ができ、通気性が確保される。
【００４３】
図９（Ａ）〜（Ｅ）は、図８（Ａ）〜（Ｅ）に示す肌面側の凹み部５０３Ａ及び５０３Ｂ並びにこれらに含まれる壁部３１１〜３１５の態様を、吸収体３の非肌面側に配した態様を示している。すなわち、図９（Ａ）〜（Ｅ）に示す凹み部５０３Ａ及び５０３Ｂは、吸収体３の非肌面側から厚みが薄くされた部分である。また、凹み部５０３Ａ及び５０３Ｂの肌面側には、凹み部底部５３と、凹み部底部５３の肌面側の吸収体部分３８とが配されている。
これらのいずれの態様においても、着用者の坐骨は、凹み部底部５３の肌面側の吸収体部分３８を押圧することになる。この場合、凹み部底部５３の肌面側の吸収体部分３８は押されて撓みながら、非肌面側の凹み部５０３Ａ及び５０３Ｂに入っていく。着用者の坐骨の先端周辺は、凹み部底部５３の吸収体部分３８の肌面側の撓んだ部分に入り込む。この態様においては、凹み部底部５３の肌面側の吸収体部分３８が着用者の坐骨の先端周辺を支え、さらにその非肌面側に凹み部５０３Ａ及び５０３Ｂの各空間領域が控えているため、座面との接触をより小さく抑えることができる。この作用をより効果的に発現させる観点から、壁部は非肌面側に開くように、吸収体３の厚み方向に対して傾斜配置されていることが好ましい。また、着用者の坐骨の先端周辺と凹み部底部５３の肌面側の吸収体部分３８とがより広範囲かつ均等に接触しやすくなるため、坐骨や尾骨への負担をより軽減することができるとともに、着用感も高くなる。このような作用は、図６に示す第３実施態様における尾骨に対応する凹み部５０３Ｃ、図１、４、５及び７に示す様々な凹み部を吸収体３の非肌面側に配した場合にも当てはまる。
【００４４】
本実施形態のおむつ１０は、前述のものに限定されるものではない。例えば吸収体３における凹み部５が肌面側から非肌面側へ貫通していてもよい。凹み部５の配設パターンや形状も上記に示したものだけではなく、坐骨及び尾骨に相当する部分にそれぞれ形成されていてもよく、形状も本願の趣旨を満たす範囲で任意の形状を選択することも好ましい。また、本実施形態のおむつが前述の第４実施態様の凹み部５０３を有する場合、土手部３３に囲まれた部分が凹んでいたり、貫通孔になっていたりしてもよい。
さらに、本実施形態のおむつ１０は、前述した態様のうち１種類の凹み部を有する場合に限らず、複数種類の凹み部を適宜組み合わせて有していてもよい。凹み部の少なくとも１つが、吸収体３の厚みを部分的に厚くした土手部３３によって囲まれた部分（第４実施態様の凹み部５０４）であることが好ましい。
【００４５】
上記実施形態のおむつは、この種の物品に通常用いられる種々の製造方法を採用して製造することができる。
【００４６】
本発明の吸収性物品は、上記の実施形態に制限されるものではなく、着用者の坐骨及び尾骨に対応して配され、吸収体を備える種々のものに適用される。例えば、成人用おむつに限らず、乳幼児用おむつ、尿とりパッド、生理用ナプキン、失禁パッド、失禁ライナ等に本発明を適応することができる。また、前述の実施形態のおむつ１０で示した部材構成に限定されるものでなく、例えば、外装体は前側部と後側部とに分離したものであってもよい。
【符号の説明】
【００４７】
１  表面シート
２  裏面シート
３  吸収体
３１、３１１、３１２、３１３、３１４、３１５  壁面
３２  壁面周辺の吸収体の厚い部分
３３  土手部
３７  （吸収体の肌面側から厚みが薄くされた凹部の）凹み部底部の非肌面側の吸収体部分
３８  吸収体の非肌面側から厚みが薄くされた凹部の）凹み部底部の肌面側の吸収体部分
５、５０１〜５０４  凹み部
５１  空間領域
５２  （吸収体の肌面側から厚みが薄くされた凹部の）凹み部底部
５３  （吸収体の非肌面側から厚みが薄くされた凹部の）凹み部底部
８  サイドシート
１０  使い捨ておむつ
１１  サイドシール部
１２  吸収性本体
１３  外装体
【図１】
2020099579.tif 000003
【図２】
2020099579.tif 000004
【図３】
2020099579.tif 000005
【図４】
2020099579.tif 000006
【図５】
2020099579.tif 000007
【図６】
2020099579.tif 000008
【図７】
2020099579.tif 000009
【図８】
2020099579.tif 000010
【図９】
2020099579.tif 000011